(57)【要約】      （修正有）【課題】ＲＦＩＤとデータ通信を行う使用時において、通信距離を伸ばすことができ、さらに、小型で軽量のＲＦＩＤ用ハンデイ型リーダライタを得る。【解決手段】リーダライタ本体と、形状変形が可能なアンテナ１ａとで構成されるハンデイ型リーダライタにおいて、前記アンテナ１ａの両端部はハンデイ型リーダライタの筐体内の給電端子に固定されているが、その間の部分は自由に動くことができ、使用時には、前記アンテナの主要部分が前記ハンデイ型リーダライタの筐体２の外部に引き出され、非使用時には、前記アンテナの主要部分が前記ハンデイ型リーダライタの筐体２の内部に収納されるＲＦＩＤ用ハンデイ型リーダライタとする。【選択図】図１
2007018125.tif 000002
【特許請求の範囲】
【請求項１】
リーダライタ本体と、形状変形が可能なアンテナとで構成されるハンデイ型リーダライタにおいて、前記アンテナの両端部は、リーダライタ筐体内の給電端子に固定され、使用時には、前記アンテナの主要部分が前記リーダライタ筐体の外部に引き出され、非使用時には、前記アンテナの主要部分が、前記リーダライタ筐体の内部に収納可能なことを特徴とするＲＦＩＤ用ハンデイ型リーダライタ。
【請求項２】
前記アンテナの主要部分は、リーダライタ筐体内の回転機構にて回転されて、リーダライタ筐体内に収納されることを特徴とする請求項１に記載のＲＦＩＤ用ハンデイ型リーダライタ。
【請求項３】
前記アンテナの主要部分は、リーダライタ筐体内のスライドガイド部分にて直線方向にスライドしてリーダライタ筐体内に収納されることを特徴とする請求項１に記載のＲＦＩＤ用ハンデイ型リーダライタ。
【請求項４】
前記アンテナの材質は、ステンレス、あるいは超弾性合金、アルミ、銅合金のいずれかとすることを特徴とする請求項１ないし３のいずれか１項に記載のＲＦＩＤ用ハンデイ型リーダライタ。
【発明の詳細な説明】
【技術分野】
【０００１】
本発明は、主として、物品管理、在庫管理等に使用されるのに好適なＲＦＩＤ（Radio Frequency Identifier）用ハンデイ型リーダライタに関する。
【背景技術】
【０００２】
従来のＲＦＩＤ用ハンデイ型リーダライタは、アンテナ部とリーダライタ部とが一体となっている。図３は、従来のＲＦＩＤ用ハンデイ型リーダライタの説明図である。図３に示すように、６はハンデイ型リーダライタの筐体であり、その外側にアンテナ保持部８が配置され、前記アンテナ保持部内には、アンテナ７が固定されている。ここで、前記ＲＦＩＤ用ハンデイ型リーダライタのアンテナ保持部を、対象とするＲＦＩＤに接近させて、無線によって、ＲＦＩＤとの間にて、データの授受を行う。
【０００３】
特許文献１には、リーダライタ本体にアンテナが設けられ、周囲の金属の影響を軽減したリーダライタを備えた電子機器について記載されている。また、特許文献２には、ペン先にブリントアンテナコイルを形成したペン型のＲＦＩＤリーダライタについて記載されている。
【０００４】
【特許文献１】特開２００４ー１６４５４７号公報
【特許文献２】特開２００４ー１０２７２８号公報
【発明の開示】
【発明が解決しようとする課題】
【０００５】
従来のＲＦＩＤ用ハンデイ型リーダライタは、アンテナ保持部８が固定されており、対象とするＲＦＩＤに接近させて、無線によってＲＦＩＤとの間でデータの授受を行うのであるが、ＲＦＩＤとの間の通信距離には限界がある。
【０００６】
ＲＦＩＤ用ハンデイ型リーダライタとして、小型、軽量であることが求められているが、使い勝手が良いように通信距離の長いものも求められる傾向にある。通信距離を長くするためには、大口径のアンテナとすれば良いが、この場合、ＲＦＩＤ用ハンデイ型リーダライタの重量、および寸法が大きくなるという問題点があった。
【０００７】
本発明の課題は、ＲＦＩＤとの間でデータ通信を行う使用時において、ＲＦＩＤとの間の通信距離を伸ばすことができ、さらに、小型で軽量のＲＦＩＤ用ハンデイ型リーダライタを提供することである。
【課題を解決するための手段】
【０００８】
本発明は、リーダライタ本体と形状変形が可能なアンテナとで構成されるハンデイ型リーダライタにおいて、 前記アンテナの両端部は、リーダライタ筐体内の給電端子に固定されているが、その間のアンテナを構成する部分は自由に変形可能であり、使用時には、前記アンテナの主要部分が前記リーダライタ筐体の外部に引き出され、非使用時には、前記アンテナ主要部分が、前記リーダライタ筐体の内部に収納されるＲＦＩＤ用ハンデイ型リーダライタである。
【０００９】
また、本発明は、前記形状変形が可能なアンテナが、リーダライタ筐体内の回転機構にて回転されて、リーダライタ筐体内に収納されるＲＦＩＤ用ハンデイ型リーダライタである。
【００１０】
また、本発明は、前記形状変形が可能なアンテナは、リーダライタ筐体内のスライドガイド部分で直線方向に、スライドしてリーダライタ筐体内に収納されるＲＦＩＤ用ハンデイ型リーダライタである。
【００１１】
また、本発明は、前記アンテナの材質は、ステンレス、あるいは超弾性合金、アルミ、銅合金のいずれかとするＲＦＩＤ用ハンデイ型リーダライタである。
【発明の効果】
【００１２】
本発明によれば、ＲＦＩＤとの間でデータ通信を行う使用時において、アンテナを変形させて通信距離を伸ばすことができ、さらに、小型軽量であるＲＦＩＤ用ハンデイ型リーダライタを提供できる。
【発明を実施するための最良の形態】
【００１３】
本発明のＲＦＩＤ用ハンデイ型リーダライタは、リーダライタ本体と、形状変形が可能なアンテナとで構成されるハンデイ型リーダライタである。 前記アンテナの両端部は、リーダライタ筐体内の給電端子に固定されており、その間のアンテナを構成する部分は自由に動くことができ、使用時には、前記アンテナの主要部分が、前記リーダライタ筐体の外部に引き出され、非使用時には、前記アンテナ主要部分が、前記リーダライタ筐体の内部に収納されるようにする。
【００１４】
ここで、前記形状変形が可能なアンテナは、リーダライタ筐体内の回転機構にて、回転されて、リーダライタ筐体内に収納される。あるいは、前記形状変形が可能なアンテナは、リーダライタ筐体内のスライド部分にて、直線方向に、スライドしてリーダライタ筐体内に収納される。                  
【００１５】
また、前記アンテナの材質は、ステンレス、あるいは超弾性合金、アルミ、銅合金のいずれかとする。                                                                
【００１６】
（実施の形態１）
図１は、本発明の実施の形態１のＲＦＩＤ用ハンデイ型リーダライタの説明図である。図１（ａ）は、アンテナを引き出した状態の説明図であり、図１（ｂ）は、アンテナの一部をハンデイ型リーダライタの筐体２の中に収納した状態の説明図である。 
【００１７】
図１（ａ）は、ＲＦＩＤ用ハンデイ型リーダライタの筐体２内の巻き取り部９から、アンテナ１ａが引き出された状態である。ＲＦＩＤ５の全体を覆うまで使用者が手動でアンテナ１ａを引き出して使用する。
【００１８】
ここで、引き出される方向は、円周方向となる。また、巻き取り部９は、アンテナ線を巻き取るドラム型の回転機構を用いれば良い。巻き取り部９の材質は、樹脂を用いれば良いが、その他、非導電性のものであれば樹脂に限られない。アンテナ１ａを、図１（ａ）のごとく、引き出すことができるので、引き出されたアンテナ１ａとＲＦＩＤ５との間では、充分安定した強度の電磁波にて、データの授受が行われる。
【００１９】
（実施の形態２）   
図２は、本発明の実施の形態２のＲＦＩＤ用ハンデイ型リーダライタの説明図である。図２（ａ）は、アンテナを引き出した状態の説明図であり、図２（ｂ）は、アンテナを、ＲＦＩＤ用ハンデイ型リーダライタの筐体の中に収納した状態の説明図である。 
【００２０】
図２（ａ）は、ＲＦＩＤ用ハンデイ型リーダライタのリーダライタの筐体２内のガイド部９１から、アンテナ３ａが引き出された状態である。使用者が手動にてアンテナ３ａをＲＦＩＤ５１の全体を覆うまで、引き出して使用する。
【００２１】
ここで、引き出される方向は、直線方向となる。ここで、ガイド部９１は、アンテナ線を直線方向にガイドするガイド機構である。ガイド部９１材質は、アンテナとの導通が可能な材質が好ましく、アルミ、銅、等導電性のものであれば良い。アンテナ３ａを、図２（ａ）のように引き出すので、引き出されたアンテナ３ａと、ＲＦＩＤ５１との間では、充分安定した強度の電磁波にて、データの授受ができる。
【産業上の利用可能性】
【００２２】
本発明のＲＦＩＤ用ハンデイ型リーダライタは、主として、店舗内、例えば、回転寿司の店内での料金集計等に使用されるのに好適である。
【図面の簡単な説明】
【００２３】
【図１】本発明の実施の形態１のＲＦＩＤ用ハンデイ型リーダライタの説明図。図１（ａ）は、アンテナを引き出した状態の説明図、 図１（ｂ）は、アンテナをＲＦＩＤ用ハンデイ型リーダライタの筐体の中に収納した状態の説明図。
【図２】本発明の実施の形態２のＲＦＩＤ用ハンデイ型リーダライタの説明図。図２（ａ）は、アンテナを引き出した状態の説明図、図２（ｂ）は、アンテナを、ＲＦＩＤ用ハンデイ型リーダライタの筐体の中に収納した状態の説明図。
【図３】従来のＲＦＩＤ用ハンデイ型リーダライタの説明図。
【符号の説明】
【００２４】
１ａ，１ｂ，３ａ，３ｂ    アンテナ
２，４，６    ハンデイ型リーダライタの筐体
７    アンテナ
８    アンテナ保持部
９    巻き取り部
９１    ガイド部
５，５１    ＲＦＩＤ
１０    ハンデイ型リーダライタ
【図１】
2007018125.tif 000003
【図２】
2007018125.tif 000004
【図３】
2007018125.tif 000005